(57)【要約】【課題】本発明は、再生ＲＦ信号及びサーボ制御信号の品質を向上できるようにする。【解決手段】本発明は、光ビーム４０の偏光方向の差異を利用して偏光ビームスプリッタ３４の偏光面３４Ａの透過又は反射を切替えることにより、光ビーム４０の光路をＨＤ用光路Ｒｈ又はＢＤ用光路Ｒｂに切替える。このとき光ディスク装置２０は、一方の光路を使用して光ディスク１００に光ビーム４０を照射する際に、使用されない他方の光路に入射された不要光ビーム４０ａを遮断領域３６Ａｂによって遮断する。【選択図】図８
2008090980.tif 000002
【特許請求の範囲】
【請求項１】
同一の光源から出射される光ビームを第１又は第２の対物レンズを介して第１又は第２の光ディスクに照射する光ピックアップであって、
上記第１の光ディスクに上記光ビームを照射する際の上記光ビームの偏光方向と上記第２の光ディスクに上記光ビームを照射する際の上記光ビームの偏光方向とを相違させる偏光方向調整部と、
上記光ビームの偏光方向の相違を利用して、上記第１の光ディスクに上記光ビームを照射する際には上記光ビームを透過して上記第１の対物レンズに導く一方、上記第２の光ディスクに上記光ビームを照射する際には上記光ビームを反射して上記第２の対物レンズに導く偏光ビームスプリッタと、
上記光ビームを遮断する遮断部と、
上記第１の光ディスクに上記光ビームを照射する際には、上記偏光ビームスプリッタによって透過されずに反射された上記光ビームを遮断する一方、上記第２の光ディスクに上記光ビームを照射する際には、上記偏光ビームスプリッタによって反射されずに透過された上記光ビームを遮断するように上記遮断部を制御する制御部と、
上記第１又は第２の光ディスクによって反射された上記光ビームを受光する受光部と
を具えることを特徴とする光ピックアップ。
【請求項２】
上記光ピックアップは、
上記遮断部を駆動する駆動部を有し、
上記制御部は、
上記駆動部を介して上記遮断部を制御する
ことを特徴とする請求項１に記載の光ピックアップ。
【請求項３】
上記偏光方向調整部は、
上記光ビームの偏光方向を変化させる１／２波長板と、第１又は第２の光ディスクに応じて上記１／２波長板に上記光ビームを通過させ又は通過させないよう当該１／２波長板を駆動する駆動部とを有する
ことを特徴とする請求項１に記載の光ピックアップ。
【請求項４】
上記偏光方向調整部は、
上記光ビームの偏光方向を９０°変化させる第１の波長板と、上記光ビームの偏光方向を所定の角度だけ変化させる第２の波長板と、記録処理の際に第１又は第２の光ディスクに応じて上記第１の波長板に上記光ビームを通過させ又は第１及び第２の波長板のいずれにも通過させないよう当該１／２波長板を駆動する一方、再生処理の際に上記第２の波長板に上記光ビームを通過させる駆動部とを有する
ことを特徴とする請求項１に記載の光ピックアップ。
【請求項５】
同一の光源から出射される光ビームを第１又は第２の対物レンズを介して第１又は第２の光ディスクに照射する光ピックアップであって、
上記光ビームを所定の比率で分離し、分離された当該光ビームを上記第１の対物レンズを有する第１の光路及び上記第２の対物レンズを有する第２の光路にそれぞれ入射する光分離部と、
上記光ビームを遮断する遮断部と、
上記第１の光ディスクに上記光ビームを照射する際には、上記偏光ビームスプリッタによって透過されずに反射された上記光ビームを遮断する一方、上記第２の光ディスクに上記光ビームを照射する際には、上記偏光ビームスプリッタによって反射されずに透過された上記光ビームを遮断するように上記遮断部を制御する制御部と、
上記第１及び第２の光ディスクによって反射された上記光ビームを受光する受光部と
を具えることを特徴とする光ピックアップ。
【請求項６】
同一の光源から出射される光ビームを第１又は第２の対物レンズを介して第１又は第２の光ディスクに照射する光ディスク装置であって、
上記第１の光ディスクに上記光ビームを照射する際の上記光ビームの偏光方向と上記第２の光ディスクに上記光ビームを照射する際の上記光ビームの偏光方向とを相違させる偏光方向調整部と、
上記光ビームの偏光方向の相違を利用して、上記第１の光ディスクに上記光ビームを照射する際には上記光ビームの殆どを透過して上記第１の対物レンズに導く一方、上記第２の光ディスクに上記光ビームを照射する際には上記光ビームの殆どを反射して上記第２の対物レンズに導く偏光ビームスプリッタと、
上記光ビームを遮断する遮断部と、
上記第１の光ディスクに上記光ビームを照射する際には、上記偏光ビームスプリッタによって透過されずに反射された上記光ビームを遮断する一方、上記第２の光ディスクに上記光ビームを照射する際には、上記偏光ビームスプリッタによって反射されずに透過された上記光ビームを遮断するように上記遮断部を制御する制御部と、
上記第１及び第２の光ディスクによって反射された上記光ビームを受光する受光部と、
上記受光部における受光量に基づいて再生信号及びサーボ制御信号を生成する信号処理部と
を具えることを特徴とする光ディスク装置。
【請求項７】
同一の光源から出射される光ビームを第１又は第２の対物レンズを介して第１又は第２の光ディスクに照射する光ディスク装置であって、
上記光ビームを所定の比率で分離し、分離された当該光ビームを上記第１の対物レンズを有する第１の光路及び上記第２の対物レンズを有する第２の光路にそれぞれ入射する光分離部と、
上記光ビームを遮断する遮断部と、
上記第１の光ディスクに上記光ビームを照射する際には、上記偏光ビームスプリッタによって透過されずに反射された上記光ビームを遮断する一方、上記第２の光ディスクに上記光ビームを照射する際には、上記偏光ビームスプリッタによって反射されずに透過された上記光ビームを遮断するように上記遮断部を制御する制御部と、
上記受光部における受光量に基づいて再生信号及びサーボ制御信号を生成する信号処理部と
を具えることを特徴とする光ディスク装置。
【発明の詳細な説明】
【技術分野】
【０００１】
本発明は、光ピックアップ及び光ディスク装置に関し、例えばＢＤ（Blu-ray Disc、登録商標）方式及びＨＤ  ＤＶＤ（High Density Digital Versatile Disc、登録商標）方式の両方に対応した光ディスク装置に適用して好適なものである。
【背景技術】
【０００２】
近年、波長が４０５［ｎｍ］の青色レーザを用いたＢＤが実用化されている。ＢＤは従来の光ディスクに比べて格段に短い波長のレーザを用いていることから、同じディスク径でなるＤＶＤの数倍の記録容量を有している。そして、従来のＣＤ（Compact Disk）やＤＶＤ（Digital Versatile Disk）と共にこのＢＤも使用できるようになされた３波長対応の光ディスクドライブも提案されている（例えば、特許文献１参照）。
【０００３】
上述したようにＢＤ用のレーザ光は波長が４０５［ｎｍ］であり、ＣＤ用やＤＶＤ用のレーザ光とはその波長が大きく異なるため、これら３波長共用の対物レンズを設計することは困難である。このため３波長対応の光ディスクドライブでは、ＢＤ用とＣＤ／ＤＶＤ用の２つの対物レンズを光ピックアップに設けるのが現実的である。
【０００４】
従って図１に示すように、この光ピックアップ１では、図示しない２つのレーザダイオードから入射された光ビームを当該光ビームの波長に応じてダイクロイックプリズム７で透過又は反射させて光路を切替えることにより、ＣＤ／ＤＶＤ用の対物レンズ３又はＢＤ用の対物レンズ４を介して当該光ビームを光ディスク１００に照射するようになされている。
【特許文献１】特開２００６−１３４４７４公報
【発明の開示】
【発明が解決しようとする課題】
【０００５】
ところで、青色レーザを用いる大容量の光ディスクとしては、上述したＢＤの他にもＨＤ  ＤＶＤと呼ばれる規格が実用化されている。このＨＤ  ＤＶＤは、ＢＤと同じ波長（４０５［ｎｍ］）のレーザ光を用いるものの、ディスクのカバー層の厚さや対物レンズの開口数に相違があるため、ＢＤ及びＨＤ  ＤＶＤ共用の対物レンズを設計することは困難である。
【０００６】
従って、ＢＤ及びＨＤ  ＤＶＤの双方に対応する光ピックアップには、実際上ＢＤ用の対物レンズ及びＨＤ  ＤＶＤ用の対物レンズを別々に設けることが考えられる。一方、上述したようにＢＤ用のレーザ光及びＨＤ  ＤＶＤ用のレーザ光はどちらも波長４０５［ｎｍ］の青色レーザ光であるから、これら２つのレーザ光を共通のレーザ光源から出射するようにすれば、光ピックアップを簡素化、小型化及び低コスト化できると考えられる。
【０００７】
このような構成の光ピックアップでは、単一のレーザ光源から出射される同波長のレーザ光を、用途に応じてＢＤ専用の対物レンズ又はＨＤ  ＤＶＤ専用の対物レンズに切り替えて入射させる必要がある。
【０００８】
ここで、青色レーザ光でなる光ビームの偏光方向をコントロールし、例えば偏光ビームスプリッタで光ビームの偏光方向に応じて透過又は反射を切替えることにより、上述した光ピックアップ１と同様に、光ディスク１００の種類に応じて光路を切替えることができると考えられる。しかしながら、レーザダイオードの偏光方向は製造過程における誤差などによりばらつきにより、Ｐ偏光で出射するようにレーザダイオードを設計しても数％から数１０％の割合でＳ偏光が混在してしまうため、偏光方向に応じて光ビームを完全に分離することはできない。このため、使用する光路以外の光路に光ビームの一部が漏れてしまい、これが迷光として受光部に受光され、再生ＲＦ信号及び各種サーボ制御信号などの品質が低下するという問題があった。
【０００９】
本発明は以上の点を考慮してなされたもので、再生ＲＦ信号及びサーボ制御信号の品質を向上し得る光ピックアップ及び光ディスク装置を提案しようとするものである。
【課題を解決するための手段】
【００１０】
かかる課題を解決するため本発明においては、同一の光源から出射される光ビームを第１又は第２の対物レンズを介して第１又は第２の光ディスクに照射する光ピックアップであって、第１の光ディスクに光ビームを照射する際の光ビームの偏光方向と第２の光ディスクに光ビームを照射する際の光ビームの偏光方向とを相違させる偏光方向調整部と、光ビームの偏光方向の相違を利用して、第１の光ディスクに光ビームを照射する際には光ビームを透過して第１の対物レンズに導く一方、第２の光ディスクに光ビームを照射する際には光ビームを反射して第２の対物レンズに導く偏光ビームスプリッタと、光ビームを遮断する遮断部と、第１の光ディスクに光ビームを照射する際には、偏光ビームスプリッタによって透過されずに反射された光ビームを遮断する一方、第２の光ディスクに光ビームを照射する際には、偏光ビームスプリッタによって反射されずに透過された光ビームを遮断するように遮断部を制御する制御部と、第１又は第２の光ディスクによって反射された光ビームを受光する受光部とを設けるようにした。
【００１１】
これにより、偏光ビームスプリッタで完全に分離できずに使用されない方の対物レンズに導かれる光ビームによる迷光の発生を防止することができるため、受光部による当該迷光の受光を防止することができる。
【発明の効果】
【００１２】
本発明によれば、偏光ビームスプリッタで完全に分離できずに使用されない方の対物レンズに導かれる光ビームによる迷光の発生を防止することができるため、受光部による当該迷光の受光を防止することができ、かくして再生ＲＦ信号及びサーボ制御信号の品質を向上し得る光ピックアップ及び光ディスク装置を実現できる。
【発明を実施するための最良の形態】
【００１３】
以下、図面について、本発明の一実施の形態を詳述する。
【００１４】
（１）第１の実施の形態
（１−１）光ディスク装置の全体構成
図２において、２０は全体として光ディスク装置を示している。この光ディスク装置２０は、ＨＤ  ＤＶＤ（High Density Digital Versatile Disc、登録商標）方式でなる光ディスク１００（以下、これをＨＤ用ディスク１００Ａと呼ぶ）及びＢＤ（Blu-ray Disc、登録商標）方式でなる光ディスク１００（以下、これをＢＤ用ディスク１００Ｂと呼ぶ）の両方に対して再生及び記録を行い得るようになされている。
【００１５】
制御部２２は、図示しないＣＰＵ(Central Processing Unit)と、各種プログラムなどが格納されるＲＯＭ(Read Only Memory)と、当該ＣＰＵのワークメモリとしてのＲＡＭ(Random Access Memory)とからなり、光ディスク装置２０の各部を制御する。
【００１６】
すなわち制御部２２は、サーボ回路２３を介してスピンドルモータ２４を回転させ、ターンテーブル（図示せず）に載置された光ディスク１００を回転駆動する。また制御部２２は、サーボ回路２３を介して送りモータ２５を駆動させ、ガイド軸２７に沿って光ピックアップ３０を光ディスク１００の半径方向であるトラッキング方向に移動させる。さらに制御部２２は、光ピックアップ３０を制御し、光ディスク１００に対する再生処理及び記録処理を実行させる。
【００１７】
図３に示すように、再生又は記録のためにＨＤ用ディスク１００Ａに光ビーム４０を照射する際、光ピックアップ３０のレーザダイオード３１は、制御部２２（図２）から供給される駆動電流に応じた光量で、４０５［ｎｍ］でなるレーザ光を出射し、光ビーム４０としてグレーティング３２に入射する。
【００１８】
グレーティング３２は、光ビーム４０を光ディスク１００に対する再生及び記録に使用されるメインビームと各種トラッキング制御信号を生成するためのサブビームとに分光し、このメインビーム及びサブビームを光ビーム４０として可動１／２波長板３３へ入射する。なお、このサブビームはメインビームと比して光量が小さくなるように分光される。
【００１９】
可動１／２波長板３３は、光ビーム４０の殆どをそのまま透過させる透過領域３３Ａａ及び光ビーム４０の偏光方向を９０°回転させる波長板領域３３Ａｂからなる板状の光学素子板３３Ａと図示しない電磁アクチュエータとによって構成されている。従って、可動１／２波長板３３は、制御部２２（図２）から供給される駆動電流に応じて光学素子板３３Ａを光ビーム４０の光軸に対して垂直方向に駆動することにより、光ビーム４０を透過領域３３Ａａ又は波長板領域３３Ａｂのいずれかに通過させる。
【００２０】
このとき制御部２２(図２)は、透過領域３３Ａａに光ビーム４０を通過させるように光学素子板３３Ａを駆動する。従って、透過領域３３Ａａは、光ビーム４０をそのまま透過させ、偏光ビームスプリッタ３４に入射する。
【００２１】
偏光ビームスプリッタ３４は、入射されたＰ偏光でなる光ビーム４０の殆どをそのまま透過させ、可動シャッタ３６に入射する。
【００２２】
可動シャッタ３６は、光ビーム４０をそのまま透過させる透過領域３６Ａａに光ビーム４０を通過させ、コリメータレンズ３７に入射する。なお、可動シャッタ３６の詳細については後述する。
【００２３】
コリメータレンズ３７は、拡散光でなる光ビーム４０を平行光へ変換し、１／４波長板３８へ入射する。１／４波長板３８は、Ｐ偏光でなる光ビーム４０を円偏光へ変換し、ＨＤ用対物レンズ３９に入射する。そしてＨＤ用対物レンズ３９は、光ビーム４０を集光しＨＤ用ディスク１００Ａに照射する。
【００２４】
またＨＤ用対物レンズ３９は、光ビーム４０がＨＤ用ディスク１００Ａによって反射されてなる反射光ビーム５０を受光し、１／４波長板３８に入射する。１／４波長板３８は、円偏光でなる反射光ビーム５０を直線偏光であるＳ偏光に変換し、コリメータレンズ３８と、可動シャッタ３６とを介して偏光ビームスプリッタ３４に入射させる。
【００２５】
偏光ビームスプリッタ３４は入射された反射光ビーム５０を偏光面３４Ａで反射し、その進行方向を９０[°]偏向させ、収差を補正するマルチレンズ４１を介してフォトディテクタ４２に入射する。そして、フォトディテクタ４２は反射光ビーム５０を光電変換して検出信号を生成し、信号処理部２８（図２）へ供給する。
【００２６】
信号処理部２８は、この検出信号から再生ＲＦ信号及び各種サーボ制御信号（トラッキングエラー信号及びフォーカスエラー信号）を生成する。制御部２２は、信号処理部２８から供給されるサーボ制御信号に基づいて駆動制御信号を生成し２軸アクチュエータ３９Ａを制御することにより、光ビーム４０をＨＤ用ディスク１００Ａにおける所望のトラック上に正確に照射するように、対物レンズ３９をＨＤ用ディスク１００Ａに対して離隔又は近接させるフォーカス方向及びＨＤ用ディスク１００Ａの半径方向であるトラッキング方向に、ＨＤ用対物レンズ３９を駆動する。
【００２７】
このように光ディスク装置２０は、ＨＤ用ディスク１００Ａに対する再生処理及び記録処理を実行するようになされている。
【００２８】
一方図４に示すように、再生又は記録のためにＢＤ用ディスク１００Ｂに光ビーム４０を照射する際、光ピックアップ３０のレーザダイオード３１は、ＨＤ用ディスク１００Ａに光ビーム４０を照射するとき（図３）と同様にレーザ光を出射し、光ビーム４０としてグレーティング３２を介して可動１／２波長板３３に入射させる。
【００２９】
このとき制御部２２（図２）は、光ビーム４０を波長板領域３３Ａｂに通過させるように可動１／２波長板３３の光学素子板３３Ａを駆動する。従って、波長板領域３３Ａｂは、光ビーム４０の偏光方向を９０°回転させ、Ｓ偏光でなる光ビーム４０を偏光ビームスプリッタ３４に入射させる。
【００３０】
偏光ビームスプリッタ３４は、入射されたＳ偏光でなる光ビーム４０の殆どを偏光面３４Ａによって反射し、さらに全反射面３４Ｂで光ビーム４０の進行方向を９０°偏向し、可動シャッタ３６を通過させることなくコリメータレンズ４７に入射する。
【００３１】
コリメータレンズ４７は、拡散光でなる光ビーム４０を平行光へ変換し、１／４波長板４８へ入射する。１／４波長板４８は、Ｓ偏光でなる光ビーム４０を円偏光へ変換し、ＢＤ用対物レンズ４９に入射する。そしてＢＤ用対物レンズ４９は、光ビーム４０を集光しＢＤ用ディスク１００Ｂに照射する。
【００３２】
またＢＤ用対物レンズ４９は、光ビーム４０がＢＤ用ディスク１００Ｂによって反射されてなる反射光ビーム５０を受光し、１／４波長板４８に入射する。１／４波長板４８は、円偏光でなる反射光ビーム５０を直線偏光であるＰ偏光に変換し、コリメータレンズ４８を介して偏光ビームスプリッタ３４に入射させる。
【００３３】
偏光ビームスプリッタ３４は入射された反射光ビーム５０を全反射面３４Ｂで反射してその進行方向を９０[°]偏向させると共に、偏光面３４Ａをそのまま透過させ、収差を補正するマルチレンズ４１を介してフォトディテクタ４２に入射する。そして、フォトディテクタ４２は反射光ビーム５０を光電変換して検出信号を生成し、信号処理部２８（図２）へ供給する。
【００３４】
信号処理部２８は、この検出信号から再生ＲＦ信号及び各種サーボ制御信号を生成する。制御部２２は、信号処理部２８から供給されるサーボ制御信号に基づいて駆動制御信号を生成し２軸アクチュエータ４９Ａを制御することにより、光ビーム４０をＢＤ用ディスク１００Ｂにおける所望のトラック上に正確に照射するように、対物レンズ４９をフォーカス方向及びトラッキング方向に駆動する。
【００３５】
このように光ディスク装置２０は、ＢＤ用ディスク１００Ｂに対する再生処理及び記録処理を実行するようになされている。
【００３６】
上述したように光ディスク装置２０は、ＨＤ用ディスク１００Ａに光ビーム４０を照射する際（図３）、レーザダイオード３１から出射した光ビーム４０を偏光ビームスプリッタ３４によって透過させ、可動シャッタ３６、コリメータレンズ３７、１／４波長板３８及びＨＤ用対物レンズ３９からなるＨＤ用光路Ｒｈに入射させる。
【００３７】
ここで、レーザダイオード３１からの出射光はＰ偏光とＳ偏光が混在しているため、光ビーム４０を透過又は反射させる偏光ビームスプリッタ３４において、光路を完全に切り替えることは困難である。
【００３８】
すなわち、光ビーム４０の１００％を透過するように偏光ビームスプリッタ３４の偏光面３４Ａを設計した場合であっても、レーザダイオード３１又は可動１／２波長板３３の取付角度のずれや、レーザダイオード３１の出射偏光の不完全性などに起因する光ビーム４０の偏光方向のずれや偏光面３４Ａに形成される偏光膜のばらつきなどにより、偏光面３４Ａによって光ビーム４０をほぼ１００％透過させることは実際上として困難である。
【００３９】
従って光ディスク装置２０は、光ビーム４０の殆どを透過させるものの当該光ビーム４０の一部（以下、これを不要光ビーム４０ａと呼ぶ）を偏光面３４Ａによって反射することになり、可動シャッタ３６、コリメータレンズ４７、１／４波長板４８及びＢＤ用対物レンズ４９からなるＢＤ用光路Ｒｂに入射することになる。
【００４０】
仮に光ディスク装置２０が不要光ビーム４０ａをこのままＢＤ用光路Ｒｂに入射してしまうと、ＢＤ用対物レンズ４９を介してＨＤ用ディスク１００Ａに照射されると共に反射されてなる反射光ビーム（以下、これを反射不要光ビームと呼ぶ）５０ａをフォトディテクタ４２によって受光することになる。
【００４１】
この場合、光ディスク装置２０は、この反射不要光ビーム５０ａに起因する成分を含んだ状態で検出信号を生成することになるため、この検出信号に基づいて生成する再生ＲＦ信号や、目標トラックに対する光ビーム４０のトラッキング方向へのずれ量を表すトラッキングエラー信号及びフォーカス方向のずれを表すフォーカスエラー信号の品質を低下させることになる。
【００４２】
特に、光ディスク装置２０は、メインビームに比して光量の少ないサブビームを用いてトラッキングエラー信号を生成するため、この反射不要光ビーム５０ａによってトラッキングエラー信号の品質を低下させてしまうことになる。
【００４３】
また、光ディスク装置２０は、ＢＤ用ディスク１００Ｂに光ビーム４０を照射する際（図４）にも同様に、偏光ビームスプリッタ３４の偏光面３４Ａによる光ビーム４０の完全な反射が困難であることから、光ビーム４０の殆どを偏光面３４Ａによって反射させてＢＤ用光路Ｒｂに入射するものの、一部の不要光ビーム４０ａを偏光面３４Ａによって透過させ、ＨＤ用光路Ｒｈに入射することになる。
【００４４】
そこで、本実施の形態の光ディスク装置２０は、可動シャッタ３６に光を遮断する遮断領域３６Ａｂを設け、光ビーム４０の光ディスク１００に対する照射に使用されない方のＨＤ用光路Ｒｈ又はＢＤ用光路Ｒｂ上に当該遮断領域３６Ａｂを配置することにより、不要光ビーム４０ａを遮断し、フォトディテクタ４２によって反射不要光ビーム５０ａを受光しないようにする。
【００４５】
具体的に、可動シャッタ３６は、例えば図５に示すように、透明なガラス材料又はプラスチック材料で形成された板状でなる光学素子板３６Ａに図示しないモータなどでなる駆動部３６Ｂが取り付けられている。この光学素子板３６Ａは中心部分から２つの領域に分割され、例えばその入射面３６Ａｅに反射防止コーティングが施された透明な透過領域３６Ａａと、その入射面３６Ａｅに炭素などを用いた黒膜コーティングが施された黒い遮断領域３６Ａｂとを有している。
【００４６】
そして図６に示すように、光ディスク装置２０の制御部２２は、ＨＤ用ディスク１００Ａに光ビーム４０を照射する際、駆動電流を生成して駆動部３６Ｂに供給することにより、透過領域３６ＡａをＨＤ用光路Ｒｈ上に、遮断領域３６ＡｂをＢＤ用光路Ｒｂ上に配置するように、可動シャッタ３６を光ビーム４０の光軸に対して垂直方向に駆動する。
【００４７】
この結果、光ディスク装置２０は、光ビーム４０に可動シャッタ３６の透過領域３６Ａａを通過させ、ＨＤ用光路Ｒｈに入射させる一方、不要光ビーム４０ａを遮断領域３６Ａｂによって遮断してコリメータレンズ４７に入射するのを防止することができ、反射不要光ビーム５０ａの発生を確実に防止し得るようになされている。
【００４８】
また図７に示すように、制御部２２は、ＢＤ用ディスク１００Ｂに光ビーム４０を照射する際、駆動電流を生成して駆動部３６Ｂに供給することにより、遮断領域３６ＡｂをＨＤ用光路Ｒｈ上配置するように、可動シャッタ３６を光ビーム４０の光軸に対して垂直方向に駆動する。
【００４９】
この結果、光ディスク装置２０は、光ビーム４０に可動シャッタ３６を通過させることなく、そのままＨＤ用光路Ｒｈに入射させる一方、不要光ビーム４０ａを遮断領域３６Ａｂによって遮断してコリメータレンズ３７に入射するのを防止することができ、反射不要光ビーム５０ａの発生を確実に防止し得るようになされている。
【００５０】
（１−２）動作及び効果
以上の構成において、本発明の光ディスク装置２０は、第１の光ディスクであるＨＤ用ディスク１００Ａに光ビーム４０が照射される際には、偏光ビームスプリッタ３４によってＰ偏光でなる光ビーム４０を透過させ、第１の対物レンズであるＨＤ用対物レンズ３９に導くと共に、制御部２２によって遮断領域３６Ａｂを有する可動シャッタ３６を制御することにより、偏光ビームスプリッタ３４によって透過されずに反射された光ビーム４０である不要光ビーム４０ａを遮断領域３６Ａｂで遮断する。一方、光ディスク装置２０は、第２の光ディスクであるＢＤ用ディスク１００Ｂに光ビーム４０が照射される際には、Ｐ偏光とは相違するＳ偏光の光ビーム４０を偏光ビームスプリッタ３４によって反射させ、第２の対物レンズであるＢＤ用対物レンズ４９に導くと共に、制御部２２による可動シャッタ３６の制御によって偏光ビームスプリッタ３４によって反射されずに透過された不要光ビーム４０ａを遮断領域３６Ａｂで遮断するようにした。
【００５１】
これにより、光ディスク装置２０は、不要光ビーム４０ａが光ディスク１００で反射されてなる不要反射光ビーム５０ａを迷光としてフォトディテクタ４２で受光するのを防止でき、この受光量に応じた検出信号におけるノイズを減少させることができる。
【００５２】
また、遮断領域３６Ａｂは、ガラス板に黒膜コーティングを施しただけであり、駆動部３６Ｂも可動シャッタ３６を光ビーム４０の光軸に対して垂直方向にスライドさせるだけの単純な構成でなることから、高精度な位置制御などを必要とせず、簡易な構成で不要光ビーム４０ａを確実に遮断することができる。
【００５３】
以上の構成によれば、光ディスク装置２０は、光ビーム４０の偏光方向の差異を利用して偏光ビームスプリッタ３４の偏光面３４Ａの透過又は反射を切替えることにより、光ビーム４０の光路をＨＤ用光路Ｒｈ又はＢＤ用光路Ｒｂに切替える。このとき光ディスク装置２０は、一方の光路を使用して光ディスク１００に光ビーム４０を照射する際に、使用されない他方の光路に入射された不要光ビーム４０ａを遮断領域３６Ａｂによって遮断することにより、不要光ビーム４０ａに起因する迷光を確実に防止でき、かくして再生ＲＦ信号及びサーボ制御信号の品質を向上し得る光ピックアップ及び光ディスク装置を実現することができる。
【００５４】
（１−３）他の実施の形態
なお上述した第１の実施の形態においては、遮断領域３６Ａｂとして、光学素子板３６Ａの入射面３６Ａｅに黒膜コーティングを施すようにした場合について述べたが、本発明はこれに限らず、例えば出射面に黒膜コーティングをしたり、入射面３６Ａｅ及び出射面の両方に黒膜コーティングをするようにしても良い。また、遮断領域３６ａとして例えばスパッタリングや蒸着などによる金属膜を形成するようにしても良い。
【００５５】
さらに上述した第１の実施の形態においては、透過領域３６Ａａ及び遮断領域３６Ａｂを有する光学素子板３６Ａが一体的に形成されるようにした場合について述べたが、本発明はこれに限らず、例えば遮断領域３６Ａｂを炭素を含有する素子として形成し、これを透明なガラスでなる透過領域３６Ａａと一体化して光学素子板３６Ａを形成するようにしても良い。
【００５６】
また上述した第１の実施の形態においては、透過領域３６Ａａに反射防止膜を形成するようにした場合について述べたが、本発明はこれに限らず、特に膜を形成する必要はなく、また、他の機能を有するような膜を形成するようにしても良い。
【００５７】
さらに上述した第１の実施の形態においては、ＨＤ用光ディスク１００Ａに光ビーム４０を照射する際に、透過領域３６ＡａをＨＤ用光路Ｒｈ上に、遮断領域３６ＡｂをＢＤ用光路Ｒｂ上に配置するように可動シャッタ３６を駆動するようにした場合について述べたが、本発明はこれに限らず、ＢＤ用光ディスク１００Ｂに光ビーム４０を照射する際に、透過領域３６ＡａをＢＤ用光路Ｒｂ、遮断領域３６ＡｂをＨＤ用光路Ｒｈの光路上に配置するように可動シャッタ３６を駆動するようにしても良い。
【００５８】
さらに上述した第１の実施の形態においては、可動１／２波長板３３によって光ディスク１００の偏光方向を調整させるようにした場合について述べたが、本発明はこれに限らず、例えば液晶素子を用いるなど、その他種々の方法により光ビーム４０の偏光方向を調整するようにしても良い。
【００５９】
さらに上述した第１の実施の形態においては、偏光ビームスプリッタ３４により、光ディスク１００の方式に応じて光ビーム４０をＨＤ用光路Ｒｈ又はＢＤ用光路Ｒｂに入射するようにした場合について述べたが、本発明はこれに限らず、例えば偏光性を有する回折素子を用いるなど、その他種々の方法により光ビーム４０の光路を切替えるようにしても良い。
【００６０】
さらに上述した第１の実施の形態においては、駆動部３６Ｂによって遮断領域３６ＡｂをＨＤ用光路Ｒｈ又はＢＤ用光路Ｒｂ上に駆動することにより不要光ビーム４０ａを遮断するようにした場合について述べたが、本発明はこれに限らず、例えば液晶素子や偏光板などの各種光学素子を組み合わせるようにしても良い。
【００６１】
さらに上述した第１の実施の形態においては、可動１／２波長板３３が透過領域３３Ａａと、光ビーム４０の偏光方向を９０°回転させる波長板領域３３Ａｂとによって構成されるようにした場合について述べたが、本発明はこれに限らず、例えば図６に示すように、可動１/２波長板５５が上述した透過領域３３Ａと波長板領域３３Ａｂに加えて、光ビーム４０の偏光方向を所定の角度である４５°回転させる４５度波長板領域５５Ａｃとから構成されるようにしても良い。
【００６２】
ここで光ディスク装置２０では、再生処理と記録処理とによってレーザダイオード３１から出射するレーザ光の強度を変化させる必要がある。しかしながら、レーザダイオード３１から出射されるレーザ光の強度自体を低下させると、レーザダイオード３１の特性によりレーザノイズが多くなるため、再生処理時には光ビーム４０にＮＤ（Normal Density）フィルタを通過させることにより、光ビーム４０の強度を減衰させて使用するのが一般的である。
【００６３】
可動１／２波長板５５を有する光ディスク装置５６では、図６に示すように、ＨＤ用ディスク１００Ａに対する再生処理の際、光ビーム４０に４５度波長板領域５５Ａｃを通過させることにより、光ビーム４０の約５０％を偏光ビームスプリッタ３４で透過させてＨＤ用光路Ｒｈに入射する一方、光ビーム４０の残りの５０％を不要光ビーム４０ａとして反射させて可動シャッタ３６の遮断領域３６Ａｂで遮断する。
【００６４】
また、光ディスク装置５６は、図７に示すように、ＢＤ用ディスク１００Ｂに対する再生処理の際、光ビーム４０に４５度波長板領域５５Ａｃを通過させることにより、光ビーム４０の約５０％を偏光ビームスプリッタ３４で反射させてＢＤ用光路Ｒｂに入射する一方、光ビーム４０の残りの５０％を不要光ビーム４０ａとして透過させて可動シャッタ３６の遮断領域３６Ａｂで遮断する。
【００６５】
これに対して、光ディスク装置５６は、記録処理の際には、上述した第１の実施の形態と同様にして、ＨＤ用光ディスク１００Ａに対しては透過領域３３Ａａを通過させる一方ＢＤ用光ディスク１００Ｂに対しては波長板領域３３Ａｂを通過させる。
【００６６】
このように、光ディスク装置５６は、大きいレーザ光強度が要求される記録処理時には、波長板領域３３Ａによる光ビーム４０の偏光方向の調製（０°又は９０°回転させる）により、光ビーム４０の殆どを光ディスク１００の方式に応じた光路に入射すると共に、使用されない方の光路に入射された不要光ビーム４０を確実に遮断できる。
【００６７】
さらに光ディスク装置５６は、小さいレーザ光強度が要求される再生処理時には、４５度波長板領域５５Ａｃによる光ビーム４０の偏光方向の調整（４５°回転させる）により、光ビーム４０の強度を約半分にまで減衰させた上で、光ディスク１００の方式に応じた光路に入射すると共に、使用されない方の光路に入射された不要光ビーム４０を確実に遮断できる。
【００６８】
これにより、光ディスク装置５６は、ＮＤフィルタが不要になるため、構成を簡易にすることができる。
【００６９】
なお、光ディスク装置５６では、光ビーム４０の偏光方向を４５°回転させる４５度波長板領域５５Ａｃを用いるようにしたが、光ビーム４０の偏光方向に対する回転角度は、偏光ビームスプリッタ３４における光ビーム４０の分岐比率に応じて適宜変更することができる。
【００７０】
また、光ディスク装置５６では、光ビーム４０が照射される記録層を１層のみ有する単層ディスクと、記録層を２層以上有する複層ディスクとによって波長板領域（波長板領域３３Ａｂ又は４５度波長板領域５５Ａｃ）を使い分けるようにしても良い。この場合には、単層ディスクに対する再生処理又は記録処理の際に、光ビーム４０を４５度波長板領域５５Ａｃに通過させ、光ビーム４０を減衰させるようにする。また、光ディスク１００の方式と再生処理又は記録処理との組み合わせに応じて、適宜光ビーム４０を４５度波長板領域５５Ａｃに通過させるようにすることができる。
【００７１】
さらに上述した第１の実施の形態においては、偏光方向調整部としての可動１／２波長板３３と、偏光ビームスプリッタとしての偏光ビームスプリッタ３４と、遮断部としての遮断領域３６Ａｂと、制御部としての制御部２２と、信号処理部としての信号処理部２８とによって光ディスク装置としての光ディスク装置２０を構成するようにした場合について述べたが、本発明はこれに限らず、その他種々の構成でなる偏光方向調整部と、偏光ビームスプリッタと、遮断部と、駆動部と、制御部と、信号処理部とによって本発明の光ディスク装置を構成するようにしても良い。
【００７２】
（２）第２の実施の形態
（２−１）光ピックアップの構成
図８は、第２の実施の形態による光ディスク装置６０の光ピックアップ６１を示すもので、図１〜７に示す第１の実施の形態に対応する部分を同一符号で示すように、可動１／２波長板３３が設置されていない他、偏光ビームスプリッタ３４と対応するビームスプリッタ６３における透過反射面６３Ａが光ビーム４０の例えば約８０％を反射し、残りの約２０％を透過させるように設計されている。なお、光ディスク装置６０（図２）としての構成は第１の実施の形態の光ディスク装置２０と同様であるため、説明を省略する。
【００７３】
この光ディスク装置６０では、ＨＤ用ディスク１００Ａに対して再生処理のみを実行し、ＢＤ用光ディスク１００Ｂに対しては再生処理及び記録処理を実行するようになされている。
【００７４】
光ディスク装置６０は、ＨＤ用ディスク１００Ａに対する再生処理の際、ビームスプリッタ６３によって光ビーム４０の約２０％を透過させてＨＤ用光路Ｒｈに入射する一方、光ビーム４０の残りの約８０％を不要光ビーム４０ａとして反射する。
【００７５】
このとき光ディスク装置６０は、可動シャッタ３６の透過領域３６ＡａをＨＤ用光路Ｒｈ上に、遮断領域３６ＡｂをＢＤ用光路Ｒｂ上に駆動する。この結果、光ディスク装置６０は、透過領域３６Ａａに光ビーム４０を通過させてＨＤ用光路Ｒｈに入射させると共に、遮断領域３６Ａｂによって不要光ビーム４０ａを遮断してＢＤ用光路Ｒｂに入射させないようにできる。
【００７６】
また光ディスク装置６０は、ＢＤ用光ディスク１００Ｂに対する再生処理又は記録処理の際にも同様に、ビームスプリッタ６３によって光ビーム４０の約８０％を反射させてＢＤ用光路Ｒｂに入射する一方、光ビーム４０の残りの約２０％を不要光ビーム４０ａとして透過させる。
【００７７】
このとき光ディスク装置６０は、可動シャッタ３６の遮断領域３６ＡｂをＨＤ用光路Ｒｈ上に駆動する。この結果、光ディスク装置６０は、光ビーム４０を可動シャッタ３６に通過させること無くＢＤ用光路Ｒｂに入射すると共に、遮断領域３６Ａｂによって不要光ビーム４０ａを遮断してＨＤ用光路Ｒｈに入射させないようにできる。
【００７８】
（２−２）動作及び効果
以上の構成において、光ディスク装置６０は、光ビーム４０をビームスプリッタ６３によって所定の比率である２０：８０の割合で分離して第１の光路であるＨＤ用光路Ｒｈ及び第２の光路であるＢＤ用光路Ｒｂにそれぞれ入射すると共に、ＨＤ用ディスク１００Ａに対する再生又は記録のために当該ＨＤ用ディスク１００Ａに光ビーム４０を照射する際には、遮断領域３６ＡｂによってＢＤ用光路Ｒｂに入射される光ビーム４０を遮断する一方、ＢＤ用ディスク１００Ｂに対する再生又は記録のために当該ＢＤ用ディスク１００Ｂに光ビーム４０を照射する際には、遮断領域３６ＡｂによってＨＤ用光路Ｒｈに入射される光ビーム４０を遮断するようにした。
【００７９】
これにより光ディスク装置６０は、簡易な構成で一方の光路（ＨＤ用光路Ｒｈ又はＢＤ用光路Ｒｂ）に入射された光ビーム４０を光ディスク１００に照射することができると共に、他方の光路に入射された光ビーム４０を確実に遮断して迷光の発生を防止することができる。
【００８０】
以上の構成によれば、光ディスク装置６０は、使用しない光路に入射された光ビーム４０を遮断することにより、光ビーム４０を照射すべき光ディスク１００の方式に応じて光ビーム４０の偏光方向を変化させる必要がなくなり、構成を簡易にできると共に迷光を減少させることができ、かくして再生ＲＦ信号及びサーボ制御信号の品質を向上し得る光ピックアップ及び光ディスク装置を実現することができる。
【００８１】
（２−３）他の実施の形態
なお上述した第２の実施の形態においては、ビームスプリッタ６３によって光ビーム４０をＨＤ用光路Ｒｈ及びＢＤ用光路Ｒｂに入射するようにした場合について述べたが、本発明はこれに限らず、例えば図９に示す光ピックアップ６５のように回折素子ユニット６４によって光ビーム４０をＨＤ用光路Ｒｈ又はＢＤ用光路Ｒｂに入射するようにしても良い。この場合、回折素子６４Ａは所定の比率（例えば１：１）で光ビーム４０を回折及び透過させ、回折素子６４Ｂは回折された光ビーム４０の全てを再び回折させるようにする。
【００８２】
さらに上述した第２の実施の形態においては、光分離部としてのビームスプリッタ６３と、遮断部としての遮断領域３６Ａｂと、制御部としての制御部２２と、信号処理部としての信号処理部２８とによって光ディスク装置としての光ディスク装置６０を構成するようにした場合について述べたが、本発明はこれに限らず、その他種々の構成でなる光分離部と、遮断部と、制御部と、信号処理部とによって本発明の光ディスク装置を構成するようにしても良い。
【産業上の利用可能性】
【００８３】
本発明の光ディスク装置及び光ピックアップは、例えば大容量のデータを記録及び再生可能な光ディスク装置を搭載した各種電子機器に利用することができる。
【図面の簡単な説明】
【００８４】
【図１】従来の光ピックアップを示す略線図である。
【図２】光ディスク装置の全体構成を示す略線図である。
【図３】第１の実施の形態によるＨＤ用光ディスクに対する再生又は記録処理の説明に供する略線図である。
【図４】第１の実施の形態によるＢＤ用光ディスクに対する再生又は記録処理の説明に供する略線図である。
【図５】光学素子板の構成を示す略線図である。
【図６】他の実施の形態によるＨＤ用光ディスクに対する再生処理の説明に供する略線図である。
【図７】他の実施の形態によるＢＤ用光ディスクに対する再生処理の説明に供する略線図である。
【図８】ＨＤ用ディスクに対する処理時の可動シャッタの効果の説明に供する略線図である。
【図９】ＢＤ用ディスクに対する処理時の可動シャッタの効果の説明に供する略線図である。
【図１０】第２の実施の形態による光ピックアップの構成を示す略線図である。
【図１１】他の実施の形態による光ピックアップの構成を示す略線図である。
【符号の説明】
【００８５】
２０……光ディスク装置、２２……制御部、２３……サーボ回路、２４……スピンドルモータ、２７……ガイド軸、２８……信号処理部、３０……光ピックアップ、３１……レーザダイオード、３２……グレーティング、３３……可動１／２波長板、３４……偏光ビームスプリッタ、３４Ａ……ビームスプリッタ、３４Ｂ……回折素子ユニット、３６……可動シャッタ、３６ａ……透過領域、３６ｂ……遮断領域、３６Ａ……光学素子板、３６Ｂ……駆動部、３７、４７……コリメータレンズ、３８、４８……１／４波長板、３９……ＨＤ用対物レンズ、４９……ＢＤ用対物レンズ、１００……光ディスク、１００Ａ……ＨＤ用ディスク、１００Ｂ……ＢＤ用ディスク、Ｒｈ……ＨＤ用光路、Ｒｂ……ＢＤ用光路、４０……光ビーム、４０ａ……不要光ビーム、５０……反射光ビーム、５０ａ……反射不要光ビーム。
【図１】
2008090980.tif 000003
【図２】
2008090980.tif 000004
【図３】
2008090980.tif 000005
【図４】
2008090980.tif 000006
【図５】
2008090980.tif 000007
【図６】
2008090980.tif 000008
【図７】
2008090980.tif 000009
【図８】
2008090980.tif 000010
【図９】
2008090980.tif 000011
【図１０】
2008090980.tif 000012
【図１１】
2008090980.tif 000013